【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
画像処理装置であって、
原稿を読み取る読取手段と、
前記読取手段によって原稿を読み取ることによって得られたスキャンデータを前記画像処理装置の外部に送信する送信手段と、
前記送信手段によるスキャンデータの送信に用いる設定情報を外部装置から無線ネットワークを介して受信する受信手段と、
前記設定情報に基づく設定で前記送信手段によるスキャンデータの送信が実行可能でない場合に、前記設定を前記画像処理装置が送信機能を実行可能な設定に変更する変更手段と、を有し、
前記送信手段は、前記変更手段によって前記設定が変更された場合は、前記変更手段によって変更された設定に基づいて、スキャンデータの送信を実行し、前記変更手段によって前記設定情報が変更されない場合は、前記受信手段により受信した前記設定情報に基づく設定で、スキャンデータの送信を実行することを特徴とする画像処理装置。
【請求項２】
前記設定情報に基づく設定で前記送信手段によるスキャンデータの送信が実行可能であるか否かを判定する判定手段を更に備えることを特徴とする請求項１に記載の画像処理装置。
【請求項３】
前記設定情報に基づく設定で前記送信手段によるスキャンデータの送信が実行可能でないと判定された場合であっても、前記設定情報の中に前記送信手段によるスキャンデータの送信を実行できない場合に送信処理を中止することを示す情報が含まれている場合は、前記送信手段による前記受信した設定情報に基づく設定でのスキャンデータの送信を行わないよう制御する制御手段を更に有することを特徴とする請求項２に記載の画像処理装置。
【請求項４】
前記判定手段により、前記設定情報に基づく設定で前記送信手段によるスキャンデータの送信が実行可能でないと判定された場合に、前記設定情報に基づく設定の変更を許可するかどうかをユーザに確認させるための確認画面を表示する表示手段を更に有し、
前記変更手段は、前記確認画面が表示された状態で前記設定の変更を許可するユーザ操作がなされた場合に、前記設定を前記画像処理装置が送信機能を実行可能な設定に変更することを特徴とする請求項２に記載の画像処理装置。
【請求項５】
前記表示手段は、前記設定情報に示される前記設定で前記送信手段によるスキャンデータの送信が実行可能でないと判定された場合であって、尚且つ、前記設定情報の中に前記設定の変更を確認するための確認画面を表示することを示す情報が含まれている場合に、前記確認画面を表示することを特徴とする請求項４に記載の画像処理装置。
【請求項６】
前記設定情報に示される前記設定で前記送信手段によるスキャンデータの送信が実行可能でないと判定された場合であっても、前記設定情報の中に前記設定の変更を許可することを示す情報が含まれている場合は、前記表示手段による前記確認画面を表示しないよう制御する表示制御手段を更に有することを特徴とする請求項４又は５に記載の画像処理装置。
【請求項７】
前記外部装置は、モバイル端末であることを特徴とする請求項１乃至６のいずれか１項に記載の画像処理装置。
【請求項８】
前記送信手段による送信処理の設定として使用できるカスタム設定を記憶する記憶手段と、
無線ネットワークを介して前記外部装置に前記カスタム設定を送信する第２の送信手段と、
を更に有することを特徴とする請求項１乃至７のいずれか１項に記載の画像処理装置。
【請求項９】
画像処理装置の制御方法であって、
原稿を読み取るための処理を行う読取工程と、
前記読取工程によって原稿を読み取ることによって得られたスキャンデータを前記画像処理装置の外部に送信する送信工程と、
前記送信工程によるスキャンデータの送信に用いる設定情報を外部装置から無線ネットワークを介して受信する受信工程と、
前記設定情報に基づく設定で前記送信工程によるスキャンデータの送信が実行可能でない場合に、前記設定を前記画像処理装置が送信機能を実行可能な設定に変更する変更工程と、を有し、
前記送信工程は、前記変更工程によって前記設定が変更された場合は、前記変更工程によって変更された設定に基づいて、スキャンデータの送信を実行し、前記変更工程によって前記設定情報が変更されない場合は、前記受信工程により受信した前記設定情報に基づく設定で、スキャンデータの送信を実行することを特徴とする画像処理装置の制御方法。
【請求項１０】
請求項９に記載の画像処理装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理装置の制御方法及びプログラム
【手続補正３】
【補正対象書類名】明細書
【補正対象項目名】０００１
【補正方法】変更
【補正の内容】
【０００１】
本発明は、画像処理装置、画像処理装置の制御方法及びプログラムに関し、特に、情報端末からの指示により画像処理装置を動作させるために用いて好適なものである。
【手続補正４】
【補正対象書類名】明細書
【補正対象項目名】０００４
【補正方法】変更
【補正の内容】
【０００４】
しかし、プリセットの内容を個々の画像処理装置に予め設定しておく必要があるため、次のような問題点がある。
ユーザは、同じ機種の画像処理装置の場合でも、プリセットがなされていない画像処理装置に対しては、プリセットがなされている画像形成装置における通常の操作を行っても、そのプリセットによる機能の実行を指示できない。つまり、ユーザが通常使用している画像形成装置にプリセットされている内容が、例えば別のフロアに設置されている画像処理装置や、別の事業所の画像処理装置には設定されていないことがほとんどである。さらに出張先の画像形成装置には、所望のプリセットはなされていない。所望のプリセットがなされていない画像処理装置を使用する際には、同じ機種の同じ機能に対して同じ使い方をする場合であったとしても、通常とは違う操作をユーザは強いられることになり、不便である。
本発明は、このような問題点に鑑みてなされたものであり、プリセットがなされていない画像処理装置を、当該プリセットがなされている画像処理装置に対する操作に可及的に近い操作感で操作を行えるようにすることを目的とする。
【手続補正５】
【補正対象書類名】明細書
【補正対象項目名】０００５
【補正方法】変更
【補正の内容】
【０００５】
本発明の画像処理装置は、画像処理装置であって、原稿を読み取る読取手段と、前記読取手段によって原稿を読み取ることによって得られたスキャンデータを前記画像処理装置の外部に送信する送信手段と、前記送信手段によるスキャンデータの送信に用いる設定情報を外部装置から無線ネットワークを介して受信する受信手段と、前記設定情報に基づく設定で前記送信手段によるスキャンデータの送信が実行可能でない場合に、前記設定を前記画像処理装置が送信機能を実行可能な設定に変更する変更手段と、を有し、前記送信手段は、前記変更手段によって前記設定が変更された場合は、前記変更手段によって変更された設定に基づいて、スキャンデータの送信を実行し、前記変更手段によって前記設定情報が変更されない場合は、前記受信手段により受信した前記設定情報に基づく設定で、スキャンデータの送信を実行することを特徴とする。
【手続補正６】
【補正対象書類名】明細書
【補正対象項目名】０００６
【補正方法】変更
【補正の内容】
【０００６】
本発明によれば、プリセットがなされていない画像処理装置を、当該プリセットがなされている画像処理装置に対する操作に可及的に近い操作感で操作を行うことができる。